(57)【要約】【課題】コンテンツに対する興味をユーザに生じさせる情報表示プログラム、情報表示方法、および情報処理装置を提供すること。【解決手段】本願に係る情報表示プログラムは、表示制御手順と、表示変更手順とをコンピュータに実行させる。表示制御手順は、第１コンテンツと、第１コンテンツに重ねられた第２コンテンツとが配置される配置面を画面に表示させる。表示変更手順は、第１コンテンツが配置面に表示された状態で、画面に対する操作が行われた場合に、第２コンテンツを配置面に表示させる。【選択図】図１
2020013371.tif 000002
【特許請求の範囲】
【請求項１】
第１コンテンツと、前記第１コンテンツに重ねられた第２コンテンツとが配置される配置面を画面に表示させる表示制御手順と、
前記第１コンテンツが前記配置面に表示された状態で、前記画面に対する操作が行われた場合に、前記第２コンテンツを前記配置面に表示させる表示変更手順と、
をコンピュータに実行させることを特徴とする情報表示プログラム。
【請求項２】
前記表示制御手順は、
前記配置面を前記画面における所定位置に固定して表示させる
ことを特徴とする請求項１に記載の情報表示プログラム。
【請求項３】
前記表示変更手順は、
前記画面に対する操作が行われた場合に、前記第２コンテンツを前記配置面に表示し、
前記画面に対する操作が終了した場合に、前記第２コンテンツの表示を終了する
ことを特徴とする請求項１または２に記載の情報表示プログラム。
【請求項４】
前記表示変更手順は、
前記画面に対する接触動作が行われている間、前記第２コンテンツを前記配置面に表示する
ことを特徴とする請求項１〜３のいずれか一つに記載の情報表示プログラム。
【請求項５】
前記表示変更手順は、
前記第１コンテンツ、および前記第２コンテンツが配置される前記配置面とは異なる他の配置面に対する操作が行われた場合に、前記第２コンテンツを表示させる
ことを特徴とする請求項１〜４のいずれか一つに記載の情報表示プログラム。
【請求項６】
前記表示変更手順は、
前記第２コンテンツを前記配置面へ表示させる際の第１遷移時間よりも、前記第２コンテンツの表示を終了させる際の第２遷移時間を長くする
ことを特徴とする請求項１〜５のいずれか一つに記載の情報表示プログラム。
【請求項７】
前記表示変更手順は、
前記画面に対する操作回数が、所定操作回数以上になると、前記配置面の表示を前記第２コンテンツに固定する
ことを特徴とする請求項１〜６のいずれか一つに記載の情報表示プログラム。
【請求項８】
前記表示変更手順は、
前記画面に対する操作時間が、所定操作時間以上になると、前記配置面の表示を前記第２コンテンツに固定する
ことを特徴とする請求項１〜７のいずれか一つに記載の情報表示プログラム。
【請求項９】
前記表示変更手順は、
前記第１コンテンツの画像を分割して移動させたスペースに前記第２コンテンツを表示させる
ことを特徴とする請求項１〜８のいずれか一つに記載の情報表示プログラム。
【請求項１０】
前記表示変更手順は、
分割した前記第２コンテンツの画像を結合することで、前記第２コンテンツを表示させる
ことを特徴とする請求項１〜８のいずれか一つに記載の情報表示プログラム。
【請求項１１】
コンピュータが実行する情報表示方法であって、
第１コンテンツと、前記第１コンテンツに重ねられた第２コンテンツとが配置される配置面を画面に表示する表示制御工程と、
前記第１コンテンツが前記配置面に表示された状態で、前記画面に対する操作が行われた場合に、前記第２コンテンツを前記配置面に表示させる表示変更工程と、
を含むことを特徴とする情報表示方法。
【請求項１２】
第１コンテンツと、前記第１コンテンツに重ねられた第２コンテンツとが配置される配置面を画面に表示する表示制御部と、
前記第１コンテンツが前記配置面に表示された状態で、前記画面に対する操作が行われた場合に、前記第２コンテンツを前記配置面に表示させる表示変更部と、
を備えることを特徴とする情報処理装置。
【発明の詳細な説明】
【技術分野】
【０００１】
本発明は、情報表示プログラム、情報表示方法、および情報処理装置に関する。
【背景技術】
【０００２】
従来、第１のレイヤに動画像やウェブページ等の情報コンテンツを表示し、第１のレイヤと重ねて表示される第２のレイヤに広告コンテンツを表示する情報処理装置が知られている（特許文献１参照）。
【先行技術文献】
【特許文献】
【０００３】
【特許文献１】特開２００３−２２０４２号公報
【発明の概要】
【発明が解決しようとする課題】
【０００４】
しかしながら、上記の情報処理装置は、複数のコンテンツが重ねて表示されるため、ユーザに煩わしさを与えるおそれがあり、コンテンツに対する興味をユーザに生じさせる点で改善の余地がある。
【０００５】
本願は、上記に鑑みてなされたものであって、コンテンツに対する興味をユーザに生じさせる情報表示プログラム、情報表示方法、および情報処理装置を提供することを目的とする。
【課題を解決するための手段】
【０００６】
本願に係る情報表示プログラムは、表示制御手順と、表示変更手順とをコンピュータに実行させる。表示制御手順は、第１コンテンツと、第１コンテンツに重ねられた第２コンテンツとが配置される配置面を画面に表示させる。表示変更手順は、第１コンテンツが配置面に表示された状態で、画面に対する操作が行われた場合に、第２コンテンツを配置面に表示させる。
【発明の効果】
【０００７】
実施形態の一態様によれば、コンテンツに対する興味をユーザに生じさせる情報表示プログラム、情報表示方法、および情報処理装置を提供することができる。
【図面の簡単な説明】
【０００８】
【図１】図１は、実施形態に係る情報表示処理の説明図である。
【図２】図２は、実施形態に係る配信システムの構成例を示す図である。
【図３】図３は、端末装置の構成例を示すブロック図である。
【図４】図４は、実施形態に係る広告配置面における情報表示処理を説明するフローチャートである。
【図５】図５は、変形例に係る端末装置における画面の変化を示す図である。
【図６】図６は、変形例に係る端末装置における画面の変化を示す図である。
【図７】図７は、情報処理装置の機能を実現するコンピュータの一例を示すハードウェア構成図である。
【発明を実施するための形態】
【０００９】
以下に、本願にかかる情報表示プログラム、情報表示方法、および情報処理装置を実施するための形態（以下、「実施形態」と呼ぶ）について図面を参照しつつ詳細に説明する。なお、この実施形態により本願にかかる情報表示プログラム、情報表示方法、および情報処理装置が限定されるものではない。
【００１０】
[１．情報表示処理]
実施形態に係る情報表示処理の一例について説明する。図１は、実施形態に係る情報表示処理の説明図である。情報表示処理は、端末装置１で実行される。
【００１１】
端末装置１は、例えば、スマートデバイス（スマートフォン、或いはタブレット）、携帯電話、パーソナルコンピュータ等の情報処理装置である。ここでは、端末装置１は、タッチパネルを有するスマートデバイスを一例として説明するが、端末装置１はスマートデバイスに限定されない。
【００１２】
端末装置１は、ネットワーク接続機能を備え、ネットワークを介して任意のサーバ装置と通信する。端末装置１の表示面である画面Ｄは、タッチパネル式の画面Ｄとなっている。
【００１３】
なお、以下の説明では、端末装置１は、画面Ｄが縦長となる状態で使用される例について記載するが、実施形態は、これに限定されるものではない。端末装置１は、画面Ｄが横長となる状態で使用されてもよい。また、画面Ｄが縦長となる状態における画面Ｄの長手方向を上下方向とし、短手方向を左右方向として説明する。
【００１４】
ユーザが端末装置１を操作して任意のサイトにアクセスすると、端末装置１は、コンテンツ配信サーバ２０からユーザがアクセスしたサイトに係るページＰの配信を受ける（Ｓ１）。
【００１５】
ページＰとは、コンテンツの配置面のことである。より具体的には、ページＰとは、画像（例えば、静止画、動画）、テキスト情報（例えば、ニュース記事）等のコンテンツが配置されたページ単位の情報である。例えば、ページＰはウェブページであり、フレームＰ１〜Ｐ３の３つのフレームで構成される。フレームＰ３は、スクロール可能となっている。なお、ページＰはウェブページに限定されない。例えば、ページＰは、ユーザインタフェース画面に表示されることを目的として作成されたページ（例えば、アプリケーション（以下、アプリという。）の画面）であってもよい。
【００１６】
フレームＰ１は、各種メニューを表示するためのアイコンが配置される配置面である。フレームＰ２は、広告コンテンツＣ１が配置される配置面（以下、広告配置面Ｐ２ともいう。）である。フレームＰ３は、メインコンテンツＣ２を配置する配置面（以下、メイン配置面（他の配置面）Ｐ３ともいう。）である。
【００１７】
広告コンテンツＣ１は、所定の商品、役務、ブランド、会社若しくは他のコンテンツ等に関する情報をユーザに伝えるためのコンテンツである。メインコンテンツＣ２は、ニュース記事など、ページＰが本来発信しようとするコンテンツである。
【００１８】
なお、広告コンテンツＣ１とは、営利若しくは非営利の広告だけではなく、ボランティアの募集、公共広告、公共に対する通知、ウェブページにかかる情報の一部、その他任意のコンテンツであるものとする。すなわち、広告コンテンツＣ１は、いわゆる広告関連の情報を含むコンテンツのみならず、ユーザに興味を抱かせ、広告コンテンツＣ１に含まれる情報、または、広告コンテンツＣ１と関連するコンテンツ（例えば、ランディングページ等）に含まれる情報を広く報知するものであれば、画像、動画像、文字、図形、記号、ハイパーリンク、その他任意のコンテンツを適用可能である。すなわち、ユーザに対してメインコンテンツＣ２よりも興味を生じさせようとするコンテンツであれば、任意のコンテンツを広告コンテンツＣ１として適用可能である。
【００１９】
端末装置１は、ページＰの配信を受けると、ページＰの情報とともに送信された制御情報に従って広告配信サーバ３０に広告コンテンツＣ１の配信要求を送信する（Ｓ２）。制御情報は、ページPに埋め込まれたプログラムである。制御情報は、例えば、ＪａｖａＳｃｒｉｐｔ（登録商標）等のスクリプト言語やＣＳＳ（Cascading  Style  Sheets）等のスタイルシート言語により記述されたプログラムである。
【００２０】
そして、端末装置１は、広告配信サーバ３０から広告コンテンツＣ１の配信を受ける（Ｓ３）。このようにして、端末装置１の画面Ｄには、メインコンテンツＣ２、および広告コンテンツＣ１が表示される（Ｓ４）。
【００２１】
端末装置１の画面Ｄでは、上下方向に並んでフレームＰ１、フレーム（広告配置面）Ｐ２、フレーム（メイン配置面）Ｐ３が配置される。例えば、各フレームＰ１〜Ｐ３は、上方から、フレームＰ１、フレーム（広告配置面）Ｐ２、フレーム（メイン配置面）Ｐ３の順に配置される。広告配置面Ｐ２は、画面Ｄの上端側に配置される。なお、広告配置面Ｐ２は、画面Ｄの下端に配置されてもよい。メイン配置面Ｐ３にはメインコンテンツＣ２が表示される。また、広告配置面Ｐ２には広告コンテンツＣ１が表示される。
【００２２】
メイン配置面Ｐ３には、複数のメインコンテンツＣ２を配置し、表示することができる。メイン配置面Ｐ３では、画面Ｄに対するユーザのスクロール操作、例えば、フリック操作に応じて、表示されるメインコンテンツＣ２が変更される。
【００２３】
広告配置面Ｐ２は、画面Ｄに対する位置が固定される。すなわち、例えば、ユーザがスクロール操作を行った場合であっても、画面Ｄに対する広告配置面Ｐ２の位置は変わらない。
【００２４】
広告配置面Ｐ２には、複数の広告コンテンツが重なった広告コンテンツＣ１（以下、重畳広告コンテンツＣ１ともいう。）を配置し、表示することができる。重畳広告コンテンツＣ１は、例えば、各広告コンテンツを各レイヤとして重ねて構成される。以下では、重畳広告コンテンツＣ１として、第１広告コンテンツ（第１コンテンツ）Ｃ１１、および第２広告コンテンツ（第２コンテンツ）Ｃ１２の２つの広告コンテンツが重ねて構成される一例を用いて説明するが、これに限られることはない。
【００２５】
第１広告コンテンツＣ１１は、広告配置面Ｐ２の初期状態である第１状態Ｓ１で表示されるように設定されたコンテンツである。第２広告コンテンツＣ１２は、ユーザの画面操作に連動して表示されるように設定されたコンテンツである。例えば、第１状態Ｓ１では、第１広告コンテンツＣ１１によって第２広告コンテンツＣ１２が隠され、広告配置面Ｐ２には第１広告コンテンツＣ１１が表示される。第２広告コンテンツＣ１２は、重畳広告コンテンツＣ１において、情報をよりユーザに伝えるためのコンテンツである。
【００２６】
端末装置１は、ユーザの操作に基づいてページＰの配信を受けて、メインコンテンツＣ２、および広告コンテンツＣ１を表示する場合には、第１状態Ｓ１として、広告配置面Ｐ２に第１広告コンテンツＣ１１「○○○○３０％ＯＦＦ」を表示する。なお、端末装置１は、メイン配置面Ｐ３にメインコンテンツＣ２を表示する。
【００２７】
端末装置１は、ユーザがメイン配置面Ｐ３においてスクロール操作、例えば、フリック操作を行うと、広告配置面Ｐ２を、第２状態Ｓ２を介して第１状態Ｓ１から第３状態Ｓ３に変更する。
【００２８】
具体的には、端末装置１は、ユーザがスクロール操作を開始するためにメイン配置面Ｐ３に触れると、広告配置面Ｐ２を第１状態Ｓ１から第２状態Ｓ２に遷移させる。第２状態Ｓ２における広告配置面Ｐ２では、例えば、第１広告コンテンツＣ１１の画像が、左右方向の中央付近で２つに分割されて、一方の第１広告コンテンツＣ１１が左側に移動し、他方の第１広告コンテンツＣ１１が右側に移動する。そして、第１広告コンテンツＣ１１の画像が移動することで形成されたスペースに第２広告コンテンツＣ１２「特別５０％ＯＦＦ」が表示される。すなわち、第１広告コンテンツＣ１１に隠されていた第２広告コンテンツＣ１２が広告配置面Ｐ２に表示される。
【００２９】
そして、端末装置１は、広告配置面Ｐ２を第２状態Ｓ２から第３状態Ｓ３に遷移させ、ユーザがスクロール操作を行っている間は、広告配置面Ｐ２に第２広告コンテンツ「特別５０％ＯＦＦ」を表示する。なお、メイン配置面Ｐ３では、ユーザの上方へのスクロール操作に応じて、表示されるメインコンテンツＣ２が変更される。
【００３０】
このように、広告配置面Ｐ２では、メイン配置面Ｐ３に対するユーザの画面操作（接触動作）が行われると、ユーザの画面操作に連動して、第２広告コンテンツＣ１２が表示される。また、広告配置面Ｐ２では、ユーザの画面操作が行われている間、第２広告コンテンツＣ１２が表示される。
【００３１】
端末装置１は、ユーザのスクロール操作が終了し、ユーザがメイン配置面Ｐ３に触れなくなると、広告配置面Ｐ２を、第４状態Ｓ４を介して第３状態Ｓ３から第１状態Ｓ１に遷移させる。
【００３２】
具体的には、端末装置１は、ユーザのスクロール操作が終了すると、広告配置面Ｐ２を第３状態Ｓ３から第４状態Ｓ４に遷移させる。第４状態Ｓ４における広告配置面Ｐ２では、分割された第１広告コンテンツＣ１１の画像が左右端から中央に向けて移動する。これにより、広告配置面Ｐ２では、第２広告コンテンツＣ１２が第１広告コンテンツＣ１１に徐々に隠される。
【００３３】
そして、端末装置１は、広告配置面Ｐ２を第４状態Ｓ４から第１状態Ｓ１に遷移させる。これにより、広告配置面Ｐ２には第１広告コンテンツＣ１１「○○○○３０％ＯＦＦ」が表示される。
【００３４】
図１では、第１状態Ｓ１〜第４状態Ｓ４を用いて広告配置面Ｐ２の状態遷移を説明したが、状態遷移はこれに限られることはない。例えば、広告配置面Ｐ２では、第２広告コンテンツＣ１２を表示する領域が円状に広がり、または閉じるように第１広告コンテンツＣ１１の画像を移動させてもよい。
【００３５】
また、図１では、ユーザがスクロール操作を行う場合を一例として説明したが、これに限られることはない。例えば、ユーザがタッチ操作を行う場合も同様に広告配置面Ｐ２では、第１広告コンテンツＣ１１、および第２広告コンテンツＣ１２が表示される。
【００３６】
このように、端末装置１は、広告配置面Ｐ２に重畳広告コンテンツＣ１を配置し、広告配置面Ｐ２に第１広告コンテンツＣ１１が表示された状態で、ユーザの画面操作が行われた場合に、広告配置面Ｐ２に第２広告コンテンツＣ１２を表示する。これにより、端末装置１は、広告配置面Ｐ２に重畳広告コンテンツＣ１を表示する場合に、ユーザの画面操作に応じて表示させる重畳広告コンテンツＣ１を変更し、重畳広告コンテンツＣ１の表示方法を向上させることができる。そのため、端末装置１は、重畳広告コンテンツＣ１、例えば、第２広告コンテンツＣ１２に対する興味をユーザに生じさせることができる。
【００３７】
[２．配信システムの構成例]
ここで、実施形態に係る配信システム１００の構成について図２を参照し説明する。図２は、実施形態に係る配信システム１００の構成例を示す図である。
【００３８】
配信システム１００は、端末装置１と、コンテンツ配信サーバ２０と、広告配信サーバ３０とを含む。端末装置１、コンテンツ配信サーバ２０、および広告配信サーバ３０は、ネットワークＮを介して有線または無線により通信可能に接続される。
【００３９】
なお、ネットワークＮは、ＬＡＮ（Local  Area  Network）、ＷＡＮ（Wide  Area  Network）、電話網（携帯電話網、固定電話網等）、地域ＩＰ（Internet  Protocol）網、インターネット等の通信ネットワークである。ネットワークＮには、有線ネットワークが含まれていてもよいし、無線ネットワークが含まれていてもよい。また、図２に示す配信システム１００には、複数台の端末装置１や、複数台のコンテンツ配信サーバ２０や、複数台の広告配信サーバ３０が含まれてもよい。
【００４０】
端末装置１は、ページＰを閲覧するユーザによって利用される情報処理装置である。端末装置１は、ユーザの操作に従って、コンテンツ配信サーバ２０からページＰの情報を取得する。ページＰに広告コンテンツＣ１、例えば、重畳広告コンテンツＣ１の取得を要求する取得命令が含まれる場合には、端末装置１は、取得命令に従って広告配信サーバ３０から広告コンテンツＣ１を取得する。また、端末装置１は、上述の情報表示処理を実現する制御情報を広告配信サーバ３０から受け取った場合には、制御情報に従って情報表示処理を実現する。端末装置１の構成は後述する。
【００４１】
コンテンツ配信サーバ２０は、端末装置１にページＰの情報を配信するサーバ装置である。例えば、コンテンツ配信サーバ２０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページを端末装置１に配信する装置である。コンテンツ配信サーバ２０は、ポータルサイト等のウェブページを配信するサーバであってもよい。また、コンテンツ配信サーバ２０は、端末装置１に制御情報を配信する配信装置としても機能する。
【００４２】
広告配信サーバ３０は、広告主から入稿された広告コンテンツＣ１を配信するサーバ装置である。例えば、広告配信サーバ３０は、端末装置１から広告コンテンツＣ１の配信要求を受付けると、端末装置１の場所やユーザの属性等からユーザと広告コンテンツＣ１とのマッチングを行い、マッチングの結果、配信対象となる広告コンテンツＣ１を端末装置１に配信する。また、広告配信サーバ３０は、上述した情報表示処理を実現するための制御情報を広告コンテンツＣ１とともに端末装置１に配信する。そのため、広告配信サーバ３０は、端末装置１に制御情報を配信する配信装置として機能する。
【００４３】
[３．端末装置の構成例]
次に、端末装置１について図３を参照し説明する。図３は、端末装置１の構成例を示すブロック図である。
【００４４】
端末装置１は、通信部２と、入力部３と、記憶部４と、表示部５と、制御部６とを備える。なお、図３に示した構成は機能的な構成であり、ハードウェア構成はこれとは異なっていてもよい。
【００４５】
通信部２は、外部の装置と通信する通信インターフェイスである。通信部２は、ネットワークインタフェースであってもよいし、機器接続インターフェイスであってもよい。例えば、通信部２は、ＮＩＣ等のＬＡＮインターフェイスであってもよいし、ＵＳＢホストコントローラ、ＵＳＢポート等により構成されるＵＳＢインターフェイスであってもよい。また、通信部２は、有線インターフェイスであってもよいし、無線インターフェイスであってもよい。通信部２は、端末装置１の通信手段として機能する。通信部２は、制御部６の制御に従ってコンテンツ配信サーバ２０、および広告配信サーバ３０と通信する。
【００４６】
入力部３は、外部から各種入力を受け付ける入力装置である。例えば、入力部３は、キーボードやマウスや操作キー等、ユーザが各種操作を行うための操作装置である。入力部３は、端末装置１の入力手段として機能する。また、入力部３には、タッチパネルが含まれる。ユーザは、指やスタイラスで画面Ｄをタッチすることにより各種操作を行う。
【００４７】
記憶部４は、ＤＲＡＭ（Dynamic  Random  Access  Memory）、ＳＲＡＭ（Static  Random  Access  Memory）、フラッシュメモリ、ハードディスク等のデータ読み書き可能な記憶装置である。記憶部４は、端末装置１の記憶手段として機能する。記憶部４は、ウェブブラウザ等のアプリケーションのデータが格納されている。
【００４８】
表示部５は、各種情報を表示する装置である。例えば、表示部５は、液晶ディスプレイ、有機ＥＬディスプレイ等の表示装置である。具体的には、表示部５は、タッチパネルであり、入力部３としての機能を有している。表示部５は、制御部６の制御に従って、画面Ｄに画像を表示する。
【００４９】
制御部６は、コントローラであり、例えば、ＣＰＵ、ＭＰＵ等のプロセッサによって、端末装置１内部の記憶装置に記憶されている各種プログラムがＲＡＭ等を作業領域として実行されることにより実現される。また、制御部６は、コントローラであり、例えば、ＡＳＩＣやＦＰＧＡ等の集積回路により実現されてもよい。
【００５０】
制御部６は、表示制御部７と、表示変更部８とを備える。制御部６を構成するブロック（表示制御部７、表示変更部８）はそれぞれ制御部６の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。なお、制御部６は上述の機能ブロックとは異なる機能単位で構成されていてもよい。
【００５１】
表示制御部７は、ユーザの操作に基づいてページＰの配信を受けると、表示部５にメインコンテンツＣ２、および広告コンテンツＣ１を表示させる。表示制御部７は、メイン配置面Ｐ３にメインコンテンツＣ２を表示させ、広告配置面Ｐ２に広告コンテンツＣ１を表示させる。
【００５２】
表示制御部７は、画面Ｄに対する広告配置面Ｐ２の位置を所定位置に固定して配置し、表示させる。例えば、表示制御部７は、図１に示すように、メイン配置面Ｐ３の上方に広告配置面Ｐ２を固定して配置し、表示させる。
【００５３】
表示制御部７は、重畳広告コンテンツＣ１を広告配置面Ｐ２に表示させる場合には、ユーザの操作に基づいてページＰの配信を受けた直後である初期状態の広告配置面Ｐ２に第１広告コンテンツＣ１１を表示させる。
【００５４】
表示変更部８は、広告配置面Ｐ２に重畳広告コンテンツＣ１が表示される場合には、ユーザによる画面操作の有無を判定する。そして、表示変更部８は、ユーザによる画面操作の有無に応じて広告配置面Ｐ２に表示させる重畳広告コンテンツＣ１を変更する。すなわち、表示変更部８は、ユーザの画面操作に連動して広告配置面Ｐ２に表示させる重畳広告コンテンツＣ１を変更する。
【００５５】
表示変更部８は、広告配置面Ｐ２に第１広告コンテンツＣ１１が表示された状態で、ユーザの画面操作、例えば、フリック操作などのスクロール操作や、タッチ操作がメイン配置面Ｐ３に行われた場合に、広告配置面Ｐ２に表示させる重畳広告コンテンツＣ１を、第１広告コンテンツＣ１１から第２広告コンテンツＣ１２に変更する。表示変更部８は、ユーザが画面Ｄに触れている間、広告配置面Ｐ２に第２広告コンテンツＣ１２を表示する。
【００５６】
また、表示変更部８は、ユーザの画面操作が終了し、ユーザが画面Ｄに触れなくなった場合、例えば、メイン配置面Ｐ３におけるスクロール操作が終了した場合には、広告配置面Ｐ２に表示させる重畳広告コンテンツＣ１を、第２広告コンテンツＣ１２から第１広告コンテンツＣ１１に変更する。
【００５７】
すなわち、表示変更部８は、ユーザが画面操作をしている間、広告配置面Ｐ２に第２広告コンテンツＣ１２を表示させる。
【００５８】
また、表示変更部８は、ページＰの配信を受けて、広告配置面Ｐ２に第１広告コンテンツＣ１１の表示を開始した後のユーザの画面操作回数をカウントする。例えば、表示変更部８は、ページＰの配信を受けて、広告配置面Ｐ２に第１広告コンテンツＣ１１の表示を開始した後にユーザの画面操作がメイン配置面Ｐ３で行われると、画面操作が行われる度に画面操作回数をインクリメントする。なお、画面操作回数は、異なるページＰの配信を受けた場合や、ページＰがリロードされた場合にはリセットされる。
【００５９】
表示変更部８は、ユーザの画面操作回数が所定操作回数以上になると、広告配置面Ｐ２に表示する重畳広告コンテンツＣ１を第２広告コンテンツＣ１２に固定する。所定操作回数は、予め設定された値であり、例えば、３回である。なお、画面操作回数は、フリック操作や、タップ操作など操作の種類にかかわらず、累積してカウントされる。
【００６０】
例えば、所定操作回数が３回である場合に、フリック操作が２回行われた後に、タップ操作が行われると、表示変更部８は、ユーザの画面操作回数が所定操作回数以上になったと判定する。そして、表示変更部８は、広告配置面Ｐ２に表示する重畳広告コンテンツＣ１を第２広告コンテンツＣ１２に固定する。
【００６１】
なお、表示変更部８は、所定操作回数からデクリメントし、例えば、所定操作回数がゼロになると、広告配置面Ｐ２に表示する重畳広告コンテンツＣ１を第２広告コンテンツＣ１２に固定してもよい。
【００６２】
また、表示変更部８は、第１広告コンテンツＣ１１から第２広告コンテンツＣ１２へ変更する際の第１遷移時間よりも、第２広告コンテンツＣ１２から第１広告コンテンツＣ１１へ変更する際の第２遷移時間を長くする。第１遷移時間は、ユーザの画面操作が行われた場合に、第２広告コンテンツＣ１２を表示させるまでに要する時間である。第２遷移時間は、ユーザの画面操作が終了した場合に、第２広告コンテンツＣ１２の表示を終了するまでに要する時間である。第２遷移時間を第１遷移時間よりも長くすることで、端末装置１は、第２広告コンテンツＣ１２に対するユーザの印象を強くすることができ、第２広告コンテンツＣ１２に対する興味をユーザに生じさせることができる。
【００６３】
表示変更部８は、重畳広告コンテンツＣ１が広告配置面Ｐ２に表示される場合には、図１に示すように、ユーザの画面操作、例えば、スクロール操作に応じて広告配置面Ｐ２における重畳広告コンテンツＣ１の表示を第１状態Ｓ１〜第４状態Ｓ４の間で変更する。
【００６４】
表示変更部８は、広告配置面Ｐ２に第１広告コンテンツＣ１１「○○○○３０％ＯＦＦ」が表示された第１状態Ｓ１で、ユーザのスクロール操作がメイン配置面Ｐ３で行われると、広告配置面Ｐ２の表示を、第２状態Ｓ２を経由して第３状態Ｓ３の第２広告コンテンツＣ１２「特別５０％ＯＦＦ」に変更する。
【００６５】
具体的には、表示変更部８は、第１状態Ｓ１でユーザがメイン配置面Ｐ３に触れると、第１広告コンテンツＣ１１の画像を左右方向の中央付近で分割する。そして、表示変更部８は、分割した一方の第１コンテンツの画像が左側に移動させ、もう一方の第１広告コンテンツＣ１１の画像が右側に移動させて、生じたスペースに第２広告コンテンツＣ１２を表示させる。ここでは、第１広告コンテンツＣ１１の画像は、第１移動速度で移動する。第１移動速度は、広告配置面Ｐ２の表示を第１広告コンテンツＣ１１から第２広告コンテンツＣ１２へ変更する第１遷移時間に基づいて設定される。
【００６６】
このように、表示変更部８は、メイン配置面Ｐ３におけるユーザのスクロール操作に応じて、広告配置面Ｐ２を第１状態Ｓ１から第３状態Ｓ３に変更し、広告配置面Ｐ２に表示される重畳広告コンテンツＣ１を第１広告コンテンツＣ１１から第２広告コンテンツＣ１２に変更する。
【００６７】
そして、表示変更部８は、メイン配置面Ｐ３におけるユーザのスクロール操作が終了すると、広告配置面Ｐ２の表示を、第４状態Ｓ４を経由して第１状態Ｓ１の第１広告コンテンツＣ１１「○○○○３０％ＯＦＦ」に変更する。
【００６８】
具体的には、表示変更部８は、第３状態Ｓ３でユーザがメイン配置面Ｐ３に触れなくなると、分割した第１広告コンテンツＣ１１の画像を左右端から中央に向けて移動させる。ここでは、広告コンテンツＣ１の画像は、第２移動速度で移動する。第２移動速度は、広告配置面Ｐ２において第２広告コンテンツＣ１２から第１広告コンテンツＣ１１へ変更する第２遷移時間に基づいて設定される。すなわち、第２移動速度は、第１移動速度よりも小さい。
【００６９】
そして、表示変更部８は、分割された第１広告コンテンツＣ１１を結合させて、広告配置面Ｐ２に表示される重畳広告コンテンツＣ１を第２広告コンテンツＣ１２から第１広告コンテンツＣ１１に変更する。
【００７０】
[４．端末装置の処理フロー]
次に、実施形態に係る広告配置面Ｐ２における情報表示処理について図４を参照し説明する。図４は、実施形態に係る広告配置面Ｐ２における情報表示処理を説明するフローチャートである。なお、重畳広告コンテンツＣ１が広告配置面Ｐ２に配置され、表示されるものとする。
【００７１】
端末装置１は、ユーザの操作に基づいてページＰの配信を受けると、第１広告コンテンツＣ１１を広告配置面Ｐ２に表示する（Ｓ１００）。
【００７２】
端末装置１は、ユーザにより画面操作が行われたか否かを判定する（Ｓ１０１）。端末装置１は、ユーザにより画面操作が行われた場合には（Ｓ１０１：Ｙｅｓ）、画面操作回数をインクリメントする（Ｓ１０２）。なお、端末装置１は、画面操作が行われない場合には（Ｓ１０１：Ｎｏ）、第１広告コンテンツＣ１１を広告配置面Ｐ２に表示した状態を維持する。
【００７３】
端末装置１は、画面操作回数が所定操作回数以上であるか否かを判定する（Ｓ１０３）。端末装置１は、画面操作回数が所定操作回数以上である場合には（Ｓ１０３：Ｙｅｓ）、第２広告コンテンツＣ１２を広告配置面Ｐ２に表示し（Ｓ１０４）、広告配置面Ｐ２を第２広告コンテンツＣ１２に固定する（Ｓ１０５）。
【００７４】
端末装置１は、画面操作回数が所定操作回数未満の場合には（Ｓ１０３：Ｎｏ）、第２広告コンテンツＣ１２を広告配置面Ｐ２に表示する（Ｓ１０６）。
【００７５】
端末装置１は、ユーザによる画面操作が終了したか否かを判定する（Ｓ１０７）。端末装置１は、ユーザによる画面操作が終了した場合には（Ｓ１０７：Ｙｅｓ）、第１広告コンテンツＣ１１を広告配置面Ｐ２に表示する（Ｓ１０８）。端末装置１は、ユーザによる画面操作が終了していない場合には（Ｓ１０７：Ｎｏ）、第２広告コンテンツＣ１２を広告配置面Ｐ２に表示した状態に維持する（Ｓ１０６）。
【００７６】
[５．効果]
端末装置１は、広告配置面Ｐ２に第１広告コンテンツＣ１１が表示された状態で、ユーザの画面操作が行われた場合に、第２広告コンテンツＣ１２を広告配置面Ｐ２に表示させる。
【００７７】
これにより、端末装置１は、広告配置面Ｐ２に表示する重畳広告コンテンツＣ１をユーザの画面操作に連動して変更することができ、重畳広告コンテンツＣ１の表示方法を向上させることができ、ユーザの注意を惹きつけることができる。そのため、端末装置１は、重畳広告コンテンツＣ１、例えば、第２広告コンテンツＣ１２に対する興味をユーザに生じさせることができる。従って、端末装置１は、重畳広告コンテンツＣ１の情報に対する訴求効果を向上させることができる。
【００７８】
端末装置１は、広告配置面Ｐ２を画面Ｄにおける所定位置に固定して表示させる。これにより、端末装置１は、メイン配置面Ｐ３に対するユーザのスクロール操作が行われた場合でも、広告配置面Ｐ２を画面Ｄに表示し、第２広告コンテンツＣ１２を広告配置面Ｐ２に表示することができる。そのため、重畳広告コンテンツＣ１、例えば、第２広告コンテンツＣ１２に対して、ユーザの興味を生じさせることができる。
【００７９】
端末装置１は、ユーザの画面操作が行われた場合に、第２広告コンテンツＣ１２を広告配置面Ｐ２に表示し、ユーザの画面操作が終了した場合に、第２広告コンテンツＣ１２の表示を終了する。具体的には、端末装置１は、画面Ｄに対するユーザの画面操作が行われている間、第２広告コンテンツＣ１２を広告配置面Ｐ２に表示する。
【００８０】
これにより、端末装置１は、ユーザの画面操作に連動して第２広告コンテンツＣ１２を広告配置面Ｐ２に表示することができ、第２広告コンテンツＣ１２に対する興味をユーザに生じさせることができる。
【００８１】
端末装置１は、メイン配置面Ｐ３に対してユーザの画面操作が行われた場合に、第２広告コンテンツＣ１２を広告配置面Ｐ２に表示する。
【００８２】
これにより、端末装置１は、例えば、メインコンテンツＣ２に対するスクロール操作に応じて第２広告コンテンツＣ１２を広告配置面Ｐ２に表示することができる。そのため、端末装置１は、ユーザがメインコンテンツＣ２に興味がある場合でも、ユーザのスクロール操作に応じて広告配置面Ｐ２の表示を変更することで、重畳広告コンテンツＣ１に対するユーザの注意を惹きつけることができる。従って、端末装置１は、重畳広告コンテンツＣ１に対して、ユーザの興味を生じさせることができる。
【００８３】
端末装置１は、第１遷移時間よりも第２遷移時間を長くする。
【００８４】
これにより、端末装置１は、ユーザの画面操作に対して、第２広告コンテンツＣ１２が表示される時間を長くし、第２広告コンテンツＣ１２に対するユーザの印象を強くすることができ、第２広告コンテンツＣ１２に対する興味をユーザに生じさせることができる。
【００８５】
端末装置１は、ユーザの画面操作回数が所定操作回数以上になると、広告配置面Ｐ２に表示される重畳広告コンテンツＣ１を第２広告コンテンツＣ１２に固定する。
【００８６】
これにより、端末装置１は、広告配置面Ｐ２で第１広告コンテンツＣ１１と第２広告コンテンツＣ１２とが変更され続けることを抑制し、ユーザに煩わしさを与えることを低減することができる。
【００８７】
端末装置１は、広告配置面Ｐ２の表示を第１広告コンテンツＣ１１から第２広告コンテンツＣ１２に変更する場合に、第１広告コンテンツＣ１１の画像を分割して移動させたスペースに第２広告コンテンツＣ１２を表示する。
【００８８】
これにより、端末装置１は、第１広告コンテンツＣ１１から第２広告コンテンツＣ１２へ変更する場合に、ユーザの注意を惹きつける演出を行うことができ、第２広告コンテンツＣ１２に対する興味をユーザに生じさせることができる。
【００８９】
[６．変形例]
変形例に係る端末装置１は、広告配置面Ｐ２において第１広告コンテンツＣ１１と第２広告コンテンツＣ１２との間で表示を変更する場合に、中間画像を表示してもよい。すなわち、第１広告コンテンツＣ１１や、第２広告コンテンツＣ１２には、中間画像が含まれてもよい。変形例に係る端末装置１は、例えば、第２広告コンテンツＣ１２を広告配置面Ｐ２に表示する際に、例えば、中間画像として緞帳の画像を表示し、緞帳が上がった後に、第２広告コンテンツＣ１２を表示してもよい。これにより、変形例に係る端末装置１は、第２広告コンテンツＣ１２に対する興味をユーザに生じさせることができる。
【００９０】
変形例に係る端末装置１は、第２広告コンテンツＣ１２を広告配置面Ｐ２に表示する場合に、分割された第２広告コンテンツＣ１２を結合させて第２広告コンテンツＣ１２を表示してもよい。
【００９１】
具体的には、変形例に係る端末装置１は、図５に示すように、第１状態Ｓ１から、例えば、ユーザがスクロール操作を開始するためにメイン配置面Ｐ３に触れると、第２状態Ｓ２では分割された第２広告コンテンツＣ１２を左右端から中央に向けて移動させる。図５は、変形例に係る端末装置１における画面Ｄの変化を示す図である。
【００９２】
そして、変形例に係る端末装置１は、分割された第２広告コンテンツＣ１２の画像を中央で結合し、第３状態Ｓ３とし、広告配置面Ｐ２に第２広告コンテンツＣ１２を表示する。このようにして、変形例に係る端末装置１は、第１広告コンテンツＣ１１に第２広告コンテンツＣ１２を重ね、広告配置面Ｐ２に第２広告コンテンツＣ１２を表示する。変形例に係る端末装置１は、ユーザのスクロール操作が終了すると、第４状態Ｓ４において第２広告コンテンツＣ１２の画像を中央で分割し、分割した第２広告コンテンツＣ１２を左右端に向けて移動させる。
【００９３】
これにより、変形例に係る端末装置１は、上記した実施形態と同様の効果を得ることができる。また、変形例に係る端末装置１は、第２広告コンテンツＣ１２を表示するためのバリエーションを増やすことができる。
【００９４】
また、変形例に係る端末装置１は、画面Ｄに対する広告配置面Ｐ２の位置を固定せずに、メイン配置面Ｐ３に埋め込み、広告配置面Ｐ２をスクロール操作に応じてスクロール可能としてもよい。
【００９５】
具体的には、変形例に係る端末装置１は、図６に示すように、メイン配置面Ｐ３の間に広告配置面Ｐ２を配置する。図６は、変形例に係る端末装置１における画面Ｄの変化を示す図である。変形例に係る端末装置１は、第１状態Ｓ１から、ユーザがスクロール操作を開始すると、第２状態Ｓ２を経由し、第３状態Ｓ３とし、広告配置面Ｐ２に第２広告コンテンツＣ１２を表示する。また、変形例に係る端末装置１は、スクロール操作に応じて広告配置面Ｐ２をメイン配置面Ｐ３とともにスクロールさせる。
【００９６】
例えば、変形例に係る端末装置１は、ユーザの上方へのスクロール操作に応じて、広告配置面Ｐ２を上方にスクロールさせる。
【００９７】
これにより、変形例に係る端末装置１は、第２広告コンテンツＣ１２を表示するためのバリエーションを増やすことができる。変形例に係る端末装置１は、例えば、関連性が高いメインコンテンツＣ２と重畳広告コンテンツＣ１とを近接して表示することができる。
【００９８】
また、変形例に係る端末装置１は、広告配置面Ｐ２において第１広告コンテンツＣ１１から第２広告コンテンツＣ１２に変更する場合に、第１広告コンテンツＣ１１を徐々に薄くするとともに、第２広告コンテンツＣ１２を徐々に浮き出させてもよい。また、変形例に係る端末装置１は、広告配置面Ｐ２において第２広告コンテンツＣ１２から第１広告コンテンツＣ１１に変更する場合に、第２広告コンテンツＣ１２を徐々に薄くするとともに、第１広告コンテンツＣ１１を徐々に浮き出させる。
【００９９】
これにより、変形例に係る端末装置１は、第２広告コンテンツＣ１２を表示するためのバリエーションを増やすことができる。
【０１００】
また、変形例に係る端末装置１は、ユーザによるスクロール操作速度に基づいて第１遷移時間や、第２遷移時間を変更可能としてもよい。例えば、変形例に係る端末装置１は、スクロール操作速度が大きい場合には、第１遷移時間を短くする。これにより、変形例に係る端末装置１は、ユーザのスクロール操作に連動した第１広告コンテンツＣ１１から第２広告コンテンツＣ１２への変更をより実現することができる。
【０１０１】
また、変形例に係る端末装置１は、重畳広告コンテンツＣ１を広告配置面Ｐ２に表示する場合に、メイン配置面Ｐ３におけるユーザの画面操作に限られず、広告配置面Ｐ２におけるユーザの画面操作に応じて広告配置面Ｐ２の表示を変更してもよい。また、変形例に係る端末装置１は、画面Ｄに対するユーザの画面操作の位置に応じて第１遷移時間や、第２遷移時間を変更してもよい。
【０１０２】
また、変形例に係る端末装置１は、ユーザの画面操作時間、すなわち画面Ｄに対するユーザの接触時間が所定操作時間以上となると、広告配置面Ｐ２に表示する重畳広告コンテンツＣ１を第２広告コンテンツＣ１２に固定してもよい。画面操作時間は、ページＰの配信を受けて、広告配置面Ｐ２に第１広告コンテンツＣ１１の表示を開始した後の累積操作時間である。所定操作時間は、予め設定された時間である。なお、画面操作時間は、異なるページＰの配信を受けた場合や、ページＰがリロードされた場合にはリセットされる。
【０１０３】
また、変形例に係る端末装置１は、画面操作回数が所定操作回数、または画面操作時間が所定操作時間以上となると、広告配置面Ｐ２に表示する重畳広告コンテンツＣ１を第２広告コンテンツＣ１２に固定してもよい。
【０１０４】
これにより、変形例に係る端末装置１は、ユーザの画面操作時間に基づいて広告配置面Ｐ２に表示する重畳広告コンテンツＣ１を第２広告コンテンツＣ１２に固定することができる。そのため、端末装置１は、広告配置面Ｐ２で第１広告コンテンツＣ１１と第２広告コンテンツＣ１２とが変更され続けることを抑制し、ユーザに煩わしさを与えることを低減することができる。
【０１０５】
また、変形例に係る端末装置１は、広告配置面Ｐ２において第２広告コンテンツＣ１２を表示する場合に、第１広告コンテンツＣ１１の一部を表示してもよい。変形例に係る端末装置１は、例えば、図１における第２状態Ｓ２の広告配置面Ｐ２を第３状態Ｓ３の広告配置面Ｐ２としてもよい。すなわち、広告配置面Ｐ２に、第２広告コンテンツＣ１２を表示することには、第１広告コンテンツＣ１１の一部が表示されていることが含まれる。
【０１０６】
また、上記実施形態、および変形例に係る端末装置１を組み合わせて適用してもよい。
【０１０７】
[７．ログ]
また、端末装置１は、広告コンテンツＣ１が表示されたか否かを示すログや、ユーザによって選択されたコンテンツのログを取ってもよい。より具体的には、端末装置１は、広告コンテンツＣ１が表示されたか否か示すログを取ってもよい。また。広告コンテンツＣ１が動画の場合、動画（広告コンテンツＣ１）が再生されたか否か、どの再生位置まで動画（広告コンテンツＣ１）が再生されたか等を示すログを取ってもよい。
【０１０８】
また、端末装置１は、広告コンテンツＣ１の表示回数や選択回数、再生された時間等を測定してもよい。また、端末装置１は、広告コンテンツＣ１が選択されたか否か、広告コンテンツＣ１がどのようなタイミングで選択されたか等といったログを取ってもよい。例えば、端末装置１は、動画（広告コンテンツＣ１）がどの再生位置で選択されたか等を示すログをとってもよい。また、端末装置１は、広告コンテンツＣ１が選択された際のページＰの表示態様を示すログを取ってもよい。例えば、端末装置１は、ユーザがスクロール操作を行わずにページＰの表示を終了した場合、第２広告コンテンツＣ１２が表示されていない旨のログ等を取得してもよい。
【０１０９】
このように端末装置１が取得したログは、広告コンテンツＣ１のインプレッション数やＣＴＲの更新、広告コンテンツＣ１等の表示に対する課金処理、および、広告主に広告効果を報告する際等に有用なログとなる。例えば、上方へのスクロール操作と下方へのスクロール操作とが何度も行われた場合や、コンテンツの変更が何度も行われた場合は、広告コンテンツＣ１に対してユーザが興味を持ち、ページＰの表示態様を何度も変更したと予測される。
【０１１０】
このため、重畳広告コンテンツＣ１の表示を変更した旨を示すログ、動画（広告コンテンツＣ１）の表示時間を示すログ、初期画面からのスクロール操作を示すログ、広告コンテンツＣ１を選択したか否かを示すログ等はユーザの広告に対する認知度を示す指標になりえる。
【０１１１】
そこで、広告配信サーバ３０は、取得された各ログを用いて、インプレッション数の更新や、課金額の変更等を行ってもよい。例えば、広告配信サーバ３０は、広告コンテンツＣ１の表示時間、選択回数等に応じて課金額を変更してもよい。
【０１１２】
また、端末装置１が取得したログは、ランディングページに配置されるコンテンツの変更に用いられてもよい。例えば、端末装置１は、第２広告コンテンツＣ１２が表示される前と、第２広告コンテンツＣ１２が表示された後とで、異なるランディングページを表示してもよい。また、例えば、端末装置１は、広告配置面Ｐ２の表示が第２広告コンテンツＣ１２に固定される前後で異なるランディングページを表示してもよい。また、端末装置１は、例えば、端末装置１は、第２広告コンテンツＣ１２が表示される前と、第２広告コンテンツＣ１２が表示された後とで、同一のランディングページを取得するとともに、かかるランディングページを配信するサーバに対して、取得したログの内容等を通知し、ランディングページに配置するコンテンツを変更させてもよい。
【０１１３】
[８．ハードウェアの構成]
上記してきた実施形態に係る端末装置１は、例えば図７に示すような構成のコンピュータ１０００によって実現される。図７は、端末装置１の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１１４】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１１５】
ＨＤＤ１４００は、ＣＰＵ１１００によって実行されるプログラム、および、かかるプログラムによって使用されるデータ等を格納する。通信インターフェイス１５００は、ネットワークＮを介して他の機器からデータを受信してＣＰＵ１１００へ送り、ＣＰＵ１１００が決定したデータをネットワークＮを介して他の機器へ送信する。
【０１１６】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、決定したデータを入出力インターフェイス１６００を介して出力装置へ出力する。
【０１１７】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１８】
例えば、コンピュータ１０００が実施形態に係る端末装置１として機能する場合、コンピュータ１０００のＣＰＵ１１００は、ＲＡＭ１２００上にロードされたプログラムを実行することにより、制御部６の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１１９】
以上、本願の実施形態および変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１２０】
[９．その他]
また、上記実施形態および変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２２】
また、上述してきた実施形態および変形例は、処理内容を矛盾させない範囲で適宜組み合わせることが可能である。
【０１２３】
また、上述してきた「部（section、module、unit）」は、「手段」や「回路」などに読み替えることができる。例えば、通信部２は、通信手段や通信回路に読み替えることができる。
【符号の説明】
【０１２４】
１      端末装置（情報処理装置）
６      制御部
７      表示制御部
８      表示変更部
Ｃ１    広告コンテンツ（重畳広告コンテンツ）
Ｃ１１  第１広告コンテンツ
Ｃ１２  第２広告コンテンツ
Ｄ      画面
Ｐ２    広告配置面（配置面）
Ｐ３    メイン配置面（他の配置面）
【図１】
2020013371.tif 000003
【図２】
2020013371.tif 000004
【図３】
2020013371.tif 000005
【図４】
2020013371.tif 000006
【図５】
2020013371.tif 000007
【図６】
2020013371.tif 000008
【図７】
2020013371.tif 000009